(57)【特許請求の範囲】
【請求項１】
一端にプラグの内嵌が可能な大径筒部が、かつ、他端に配管の外嵌が自在な小径筒部が夫々形成されたソケット本体、前記大径筒部に前記プラグが抜止め状態で嵌合連結されるロック状態と、前記プラグの前記大径筒部への装脱が自在な解放状態とに切換え自在なロック機構、及び前記ロック機構を切換自在な状態で前記ソケット本体に外嵌された操作環を備えるとともに、前記ロック状態を現出すべく前記大径筒部側に復帰付勢される前記操作環を、その復帰付勢力に抗して前記小径筒部側に移動することで前記解放状態が得られるように構成されたソケットを有する迅速継手であって、
前記操作環の前記大径筒部側への移動は阻止し、かつ、前記ソケット本体の前記大径筒部側への移動は許容すべく前記操作環の前記大径筒部側端面に対峙した第１受止め部と、前記ソケット本体の前記小径筒部側への移動を阻止する第２受止め部と、これら第１及び第２受止め部を固定部に支持させるための取付部とを備えて構成されたアタッチメントが前記ソケットに装備された第１継手状態と、前記アタッチメントが前記ソケットから取り外された第２継手状態との択一的選択が自在に構成され、
前記第１受止め部は、前記大径筒部の半径より大きく、かつ、前記操作環の半径より小さい半径を有した丸孔を有し、
前記第２受止め部は、前記操作環の半径より大きな半径を有した丸孔を有するとともに、前記小径筒部の半径よりも大きな径を備えた下向き開放Ｕ字状の切欠きが形成された受け板を備える構成であり、
前記第１受止め部、前記第2受け止め部、及び前記取付部が、側面視で上向きコ字状又は平面視で矩形を呈する状態に構成された板材によって一体形成され、前記受け板が前記矩形の開放側から前記第2受け止め部に沿って落とし込み自在であり、
前記受け板は、前記切欠きに前記小径筒部を嵌め入れてから、前記小径筒部にネジで固定できるように構成されている迅速継手。
【発明の詳細な説明】
【０００１】
【発明の属する技術分野】
本発明は、迅速継手及び迅速継手に用いられるアタッチメントに係り、詳しくは、工場の配管ラインや病院等のガスライン、装置の気液ラインといった液体や気体の流体用配管ラインにおいて使用される迅速継手における配管の着脱技術に関するものである。
【０００２】
【従来の技術】
従来の迅速継手（水道用クイックジョイント等）は、図１２に示すように、プラグ５とソケット１とから構成されている。即ち、一端にプラグ５の内嵌が可能な大径筒部４が、かつ、他端にホース等の配管８の外嵌が自在な小径筒部９が夫々形成されたソケット本体２、大径筒部４にプラグ５の差込筒部６が抜止め状態で嵌合連結されるロック状態と、プラグ５の大径筒部４への装脱が自在な解放状態とに切換え自在なロック機構ｒ、及びロック機構ｒを切換自在な状態でソケット本体２に外嵌された操作環３を備えるとともに、ロック状態を現出すべく大径筒部４側に復帰付勢される操作環３を、その復帰付勢力に抗して小径筒部９側に移動することで解放状態が得られるように構成されたソケット１を有している。プラグ５は、前述の差込筒部６と、水道蛇口１０に外嵌固定及び離脱自在な接合筒部７とを有している。
【０００３】
ロック機構ｒは、図７に示すように、軸方向の移動は阻止され、かつ、大径方向への移動及び復帰は自在に大径筒部４に装備された複数のボール１１と、各ボール１１に対応する状態で操作環３の内径側面に形成された先拡がり状のテーパ面１２と、ソケット本体２に対して操作環３を大径筒部４側に復帰付勢するバネ１３とから構成されている。
【０００４】
従って、プラグ５をソケット１に接合するには、プラグ５とソケット１とを相対接近移動させるだけで、ロック機構ｒを切換えることができて差込筒部６を、その凹部６ａにボール１１が嵌まり込ませて大径筒部４へ嵌合させることができる。そして、プラグ５をソケット１から外すには、先ず一方の手指にてソケット本体２を支持した状態で、他方の手指で操作環３を復帰付勢力に抗して小径筒部９側に強制移動しながら一方の手指でソケット本体２を引抜くようにすることで為されるものであった。
【０００５】
【発明が解決しようとする課題】
つまり、ソケットとプラグとを装着するには、それら両者を接近させるべく押し付け合う操作のみのワンアクションで行えるに対して、外すには操作輪をスライド移動させながらソケット本体とプラグとを相対離間するように移動させるというツーアクションによって為されるものであり、迅速に連結できることと、不測の離脱を防止することとの両立が図れる有用なものである。
【０００６】
ところが、外すときのツーアクション動作が制約となって使い勝手の悪い場合がある。例えば、極狭い場所において配管の接続部を配置しなければならないとか、手が届き難い奥まった箇所等においては、ソケットとプラグとを接続することはできても、手指による離脱操作が不能となってソケットとプラグとの離脱を行うことができない、又は非常に困難となっていたのである。
【０００７】
本発明の目的は、迅速な接続動作と接続状態の良好な維持との双方の機能を備えながら、必要に応じて迅速な離脱動作も行えるようにして、さらに使い勝手の向上する迅速継手を得る点にある。又、そのためのアタッチメントを提供することも目的とする。
【０００８】
【課題を解決するための手段】
請求項１の構成は、一端にプラグの内嵌が可能な大径筒部が、かつ、他端に配管の外嵌が自在な小径筒部が夫々形成されたソケット本体、大径筒部にプラグが抜止め状態で嵌合連結されるロック状態と、プラグの大径筒部への装脱が自在な解放状態とに切換え自在なロック機構、及びロック機構を切換自在な状態でソケット本体に外嵌された操作環を備えるとともに、ロック状態を現出すべく大径筒部側に復帰付勢される操作環を、その復帰付勢力に抗して小径筒部側に移動することで解放状態が得られるように構成されたソケットを有する迅速継手において、
操作環の大径筒部側への移動は阻止し、かつ、ソケット本体の大径筒部側への移動は許容すべく操作環の大径筒部側端面に対峙した第１受止め部と、ソケット本体の小径筒部側への移動を阻止する第２受止め部と、これら第１及び第２受止め部を固定部に支持させるための取付部とを備えて構成されたアタッチメントがソケットに装備された第１継手状態と、アタッチメントがソケットから取り外された第２継手状態との択一的選択が自在に構成され、
前記第１受止め部は、前記大径筒部の半径より大きく、かつ、前記操作環の半径より小さい半径を有した丸孔を有し、
前記第２受止め部は、前記操作環の半径より大きな半径を有した丸孔を有するとともに、前記小径筒部の半径よりも大きな径を備えた下向き開放Ｕ字状の切欠きが形成された受け板を備える構成であり、
前記第１受止め部、前記第2受け止め部、及び前記取付部が、側面視で上向きコ字状又は平面視で矩形を呈する状態に構成された板材によって一体形成され、前記受け板が前記矩形の開放側から前記第2受け止め部に沿って落とし込み自在であり、
前記受け板は、前記切欠きに前記小径筒部を嵌め入れてから、前記小径筒部にネジで固定できるように構成されていることを特徴とする。
【０００９】
請求項１の構成によれば、詳しくは実施形態の項にて説明するが、アタッチメントをソケットに装着した第１継手状態とすれば、ソケットを大径筒部側へ移動させようとする力は第１受止め部で受け止められ、ソケットを小径筒部側へ移動させようとする力は第２受止め部で受け止められるようになり、これら両受止め部は固定部に支持されて動かない状態となっている。
【００１０】
従って、ソケットに連結されているプラグを抜き取り方向に引っ張れば、第１受止め部で受け止められている操作輪を残してソケット本体が連れ動くことになり、これは操作輪をフリー位置に動かすことと同じであるから、ソケット本体が連れ移動した後にプラグを抜き出せるようになる（図１，４参照）。プラグをソケットに接続するには、ソケット本体が第２受止め部で受け止められているので、従来通り、プラグを単に大径筒部に押し込めば良い。
【００１１】
つまり、第１継手状態とすれば、プラグとソケットとの接続及び離脱のいずれの操作も押し込む又は引っ張るというワンアクションで済むようになるので、両手操作できなような狭い場所での配管の接続及び離脱箇所や、手を伸ばしても届かない奥まった箇所等において迅速継手を用いる場合に好適な手段となる。
【００１２】
そして、アタッチメントをソケットから取り外した第２継手状態とすれば、プラグとソケットとを相対的に押し込むワンアクションの接続操作と、操作輪をソケット本体に対してプラグから遠ざける方向に移動させながら、ソケットとプラグとを相対離間させるツーアクションの離脱操作とによる従来通りの迅速継手として用いることができる。
【００１５】
これにより、ソケット本体を、第２受止め部の丸孔から挿入して、操作環を第１受止め部の丸孔に嵌め入れた状態とする。次いで、第２受止め部の内面側に沿わせるようにして受け板を落とし込み、その切欠きを小径筒部に嵌め入れてから、ソケット本体と受け板とをネジ固定することにより、ソケットのアタッチメントへの装着操作が為される。
【００２１】
【発明の実施の形態】
−第１実施形態−
図１に本発明の第１実施形態による第１継手状態の迅速継手Ｔが、かつ、図２にその迅速継手Ｔに使用されるアタッチメントＡの単品図が夫々示されている。迅速継手Ｔは、検査装置や実験装置等の機械装置類に配管された配水ホース３４に接続されるソケット１と、給水タンク１４に接続されるプラグ５と、給水タンク１４の載置台でもある装置固定部２２にボルト止め固定された状態でソケット１を装備するアタッチメントＡとから構成されている。
【００２２】
ソケット１は、一端にプラグ５の内嵌が可能な大径筒部４が、かつ、他端に配水ホース（配管の一例）３４の外嵌が自在な小径筒部９が夫々形成されたソケット本体２、大径筒部４にプラグ５が抜止め状態で嵌合連結されるロック状態と、プラグ５の大径筒部４への装脱が自在な解放状態とに切換え自在なロック機構ｒ、及びロック機構ｒを切換自在な状態でソケット本体２に外嵌されたスリーブ（操作環の一例）３を備えるとともに、ロック状態を現出すべく大径筒部４側（図１における右側）に復帰付勢されるスリーブ３を、その復帰付勢力に抗して小径筒部９側（ロックナット３３側であり、図１における左側）に移動することで解放状態が得られるように構成された公知のものである。
【００２３】
プラグ５は、６角ナット状のプラグ本体７と、大径筒部４に内嵌される差込筒部６と、雄ネジ部７ａとを有して構成されており、筒軸状の差込筒部６には、ボール１１と協動して抜け止め作用するための内径方向に凹んだ凹部６ａが形成されている。雄ネジ部７ａは、給水タンク１４の外郭から凹入した箇所に形成されている取付部１４Ａの雌ネジ部１４Ｂに、プラグ５を直接に螺着するためのものである（図３参照）。
【００２４】
公知のロック機構ｒの原理を、図７を用いて簡単に説明すれば、複数のボール１１と、このボール１１が軸方向に若干移動できる長さを有して大径筒部４に形成されたボール配置用の切欠き１６と、スリーブ３の内径側に形成された先広がり状のテーパ面１２と、スリーブ３をロック側に復帰付勢するバネ１３とから構成されている。切欠き１６は、ボール１１の外径側への移動は許容し、かつ、内径側への移動は阻止する状態に形成されており、バネ１３の復帰付勢力に抗してスリーブ３を小径筒部９側にスライド移動すれば、ボール１１が外径側に移動自在となり、差込筒部６の装脱が自在な状態が得られる。
【００２５】
アタッチメントＡは、上面の無い無蓋状の箱体を呈するアタッチメント本体３５と、受け板３０との２部品から構成されている。アタッチメント本体３５は、スリーブ３の大径筒部４側への移動は阻止し、かつ、ソケット本体２の大径筒部４側への移動は許容すべくスリーブ３の大径筒部４側端面に対峙した第１受止め部１７と、ソケット本体２の小径筒部９（ロックナット３３）側への移動を阻止する第２受止め部１８と、これら第１、第２受止め部１７，１８を装置固定部２２に固定するための底面（取付部の一例）１９と、第１、第２受止め部１７，１８を連結一体化する左右の側壁２６，２７とを備えた５面体に構成されている。
【００２６】
受け板３０は、ソケット本体２における小径筒部９側の基端２ａ、及びロックナット３３の双方を受け止めるために、雌ネジ部２ｎの径ｈよりも大なる径ｉを備えた下向き開放Ｕ字状の切欠き２９が形成された板金材で形成されている。又、第１受止め部１７には、大径筒部４の最大径ａよりも大きく、かつ、スリーブ３の径ｂより小さい径ｘを有した丸孔２１が形成されるとともに、第２受止め部１８には、スリーブ３の径ｂより大きい径ｊを有した丸孔２８が形成されている。
【００２７】
そして、第１受止め部１７と第２受止め部１８との間の間隔ｄは、自由状態におけるスリーブ３の大径筒部４側面と、基端２ａの端面との軸方向長さｃと機能的には同じとするのが良いが、寸法誤差やプラグ５の着脱操作時における遊び代を設けることから、やや長い値に設定してある。
【００２８】
これにより、ソケット１単体（又はプラグ５の装着されたソケット１）を、第２受止め部１８の丸孔２８から挿入して、スリーブ３を第１受止め部１７の丸孔２１に嵌め入れた状態とする。次いで、第２受止め部１８の内面側に沿わせるようにして受け板３０を落とし込み、その切欠き２９を基端２ａとロックナット３３との間における雌ネジ部２ｎに嵌め入れてから、ロックナット３３を締め付けてソケット本体２と受け板３０とを相対固定することにより、ソケット１のアタッチメントＡへの装着操作が為される。
【００２９】
図１に示すように、アタッチメントＡは、装置固定部２２に固定支持されており、ソケット１が配水ホース３４側には移動しないように固定された状態になっている。従って、移動側である給水タンク１４、即ちプラグ５をソケット１に接続するには、給水タンク１４をソケット１に向けて押込んでプラグ５を大径筒部４に差込めば、自動的にロック機構ｒが解除されてソケット１に装着することができるのであり、プラグ５を押込むだけのワンアクション操作で良いものとなっている。この場合、プラグ５の押し込みに伴うソケット１を左側（配水ホース３４側）へ動かそうとする力は、第２受止め部１８で受け止められる。
【００３０】
そして、給水タンク１４をソケット１から外すには、図２に示すように、給水タンク１４を引張ってプラグ５を図中右側に強制移動させると、スリーブ３がロック位置にあるために大径筒部４が、即ちソケット１全体が右側に引張られて動こうとする。ところが、第１受止め部１７によって受け止められているスリーブ３は右側に動けず、ソケット本体２のみが右方に連れ動くこととなり、その結果、相対的にスリーブ３がソケット本体２に対してフリー位置側に動くことになって、プラグ５を大径筒部４から抜き取ることが可能になるのである。
【００３１】
つまり、迅速継手Ｔを、アタッチメントＡが装備された第１継手状態とすることにより、給水タンク１４を引張るだけのワンアクション操作でプラグ５をソケット１から外せるので、迅速継手の配置箇所が奥まっているとか、複数の機械装置類の間の手指の届き難い所といった、両手操作が行えない箇所にも迅速継手を好適に用いることができるのである。
【００３２】
−参考例−
図５に、給水タンク１４を位置固定のものとした第２実施形態による第１継手状態の迅速継手Ｔが、かつ、図６にアタッチメントＡ単品が夫々示されている。迅速継手Ｔは、給水タンク１４に接続されるソケット１と、配管ホース８に接続されるプラグ５と、給水タンク１４の取付部１４ｂにブラケット２２を介して固定される状態でソケット１を装備するアタッチメントＡとから構成されている。
【００３３】
ソケット１は、一端にプラグ５の内嵌が可能な大径筒部４が、かつ、他端にホース（配管の一例）８の外嵌が自在な小径筒部９が夫々形成されたソケット本体２、大径筒部４にプラグ５が抜止め状態で嵌合連結されるロック状態と、プラグ５の大径筒部４への装脱が自在な解放状態とに切換え自在なロック機構ｒ、及びロック機構ｒを切換自在な状態でソケット本体２に外嵌されたスリーブ（操作環の一例）３を備えるとともに、ロック状態を現出すべく大径筒部４側（図５における左側）に復帰付勢されるスリーブ３を、その復帰付勢力に抗して小径筒部９側（図５における右側）に移動することで解放状態が得られるように構成された公知のものである。
【００３４】
プラグ５は、ネジ式等によって配管やホース１５を接続固定する箇所である接合筒部７と、大径筒部４に内嵌される差込筒部６とを有して構成されており、筒軸状の差込筒部６には、ボール１１と協動して抜け止め作用するための内径方向に凹んだ凹部６ａが形成されている。ロック機構ｒは、第１実施形態の項にて説明したものと同じ原理のものであり、ここでのこれ以上の説明は割愛する。
【００３５】
アタッチメントＡは、側面視で上向きコ字状に屈曲形成された１枚の金属板から構成されており、スリーブ３の大径筒部４側への移動は阻止し、かつ、ソケット本体２の大径筒部４側への移動は許容すべくスリーブ３の大径筒部４側端面に対峙した第１受止め部１７と、ソケット本体２の小径筒部９側への移動を阻止する第２受止め部１８と、これら第１及び第２受止め部１７，１８をブラケット２２（固定部の一例）に支持させるための取付部１９とを備えている。
【００３６】
第１受止め部１７には、大径筒部４の最大径ａよりも大きく、かつ、スリーブ３の径ｂより小さい径ｘを有した丸孔２１が形成されるとともに、第２受止め部１８には、給水タンク１４の装着筒部１４ａと小径筒部９とを連通させる接続ホース８の径ｇよりも大きく、かつ、ソケット本体２における小径筒部９側の基端２ａの径ｆよりも小さい径ｅによる円弧部２０ａを備えたＵ字切欠き２０が形成されている。
【００３７】
そして、第１受止め部１７と第２受止め部１８との間の間隔ｄは、自由状態におけるスリーブ３の大径筒部４側面と、基端２ａの端面との軸方向長さｃと機能的には同じとするのが良いが、後述するように、ソケット１を斜め姿勢としてアタッチメントＡに着脱する操作が可能となるように、実際には極短い間隙分だけ長い寸法に設定されている。
【００３８】
これにより、ソケット１単体を大径筒部４が下となる斜め姿勢として、先ず大径筒部４を第１受止め部１７の丸孔２１に嵌め入れた状態として、小径筒部９側を下げ操作してその小径筒部９をＵ字切欠き２０に嵌め入れることができる。図示しないが、小径筒部９の第２受止め部１８への出し入れが容易となるように、第２受止め部１８の上部を間隔ｄが広くなる方向に湾曲させても良い。
【００３９】
図５に示すように、アタッチメントＡは、ブラケット２２を介して重い給水タンク１４に螺着によって取付け支持されており、ソケット１が動かないように固定された状態になっている。従って、ホース１５を給水タンク１４に接続するには、プラグ５を大径筒部４に差込めば、自動的にロック機構ｒが解除されてソケット１に装着することができるのであり、プラグ５を押込むというワンアクション操作で良いものとなっている。この場合、プラグ５の押し込みに伴うソケット１を右側へ動かそうとする力は、第２受止め部１８で受け止められる。
【００４０】
そして、ホース１５を外すには、図８に示すように、ホース１５を引張る等によってプラグ５を図中左側に強制移動させると、スリーブ３がロック位置にあるために大径筒部４が、即ちソケット１全体が左側に引張られて動こうとする。ところが、第１受止め部１７によって受け止められているスリーブ３は左側に動けず、ソケット本体２が連れ動くこととなり、その結果、相対的にスリーブ３がソケット本体２に対してフリー位置側に動くことになり、プラグ５を大径筒部４から抜き取ることが可能となるのである。
【００４１】
つまり、迅速継手Ｔを、アタッチメントＡが装備された第１継手状態とすることにより、ホース１５を抜くときにもプラグ５をソケット１から引抜くだけのワンアクション操作で良いものとなっており、迅速継手の周辺部が奥まっているとか、複数の機械装置類の間の手指の届き難い所といった、両手操作が行えない箇所にも好適に用いることができる利点がある。
【００４２】
そして、水道蛇口に用いるとか、ホースの途中箇所に用いる等、スペース的な制約の無いところでは、アタッチメントＡをソケット１から取り去って第２継手状態とされた迅速継手Ｔを用いることにより、ホースや配管を簡単に接続できながらも、接続すれば装着確実な抜け止め機能が発揮できる好ましい接続状態を得ることができるのである。
【００４３】
〔別実施形態〕
《１》  例えば、プラグ５を給水タンク１４を支持する枠体（フレーム）等の固定部に支持させて、アタッチメントＡを動かすという操作形態を採れば、アタッチメントＡのプラグ５への押し込み操作で接続が行え、アタッチメントＡの引抜き引き操作で接続解除が行えるようになり、迅速継手の接続及び解除が、共にワンアクション操作で行うことが可能になる。
【００４４】
《２》  アタッチメントＡは、次の（ａ）〜（ｃ）のような構造のものが参考例として考えられる。
（ａ） 図９に示すように、第１受止め部１７及び第２受止め部１８の双方に丸孔２１，２５が形成されたものでも良い。この場合には、例えば、受止め部１８を、取付部１９に対して矢印方向に揺動自在に枢支し、受け止め部１７に対して位置固定とする例えば図示の引っ掛け部材を設けるといった構造の追加により、ソケット１に対して着脱自在とすることができる。
【００４５】
（ｂ）  図１０に示すように、第１受止め部１７と第２受止め部１８とを、左右の側壁２６，２７で連結一体化させる構造の取付部１９を有したアタッチメントＡでも良い。
【００４６】
（ｃ）  図１１に示すように、第１受止め部１７と第２受止め部１８との双方に略Ｕ字状切欠き３１，３２を形成し、これらＵ字状切欠き３１，３２夫々の上部に、大径筒部４の抜止め用の乗り越え片３１ａ，３１ａと、小径筒部９の抜止め用の乗り越え片３２ａ，３２ａとを形成したもの。つまり、ソケット１の出し入れにデテント的節度を持たせた構造である。
【００４７】
《３》  図５に示す構造において、アタッチメントＡにおける第１受止め部１７と第２受止め部１８との間の間隔ｄが、自由状態におけるスリーブ３の大径筒部４側面と基端２ａの端面との軸方向長さｃよりも明らかに長いものでも本発明を実施することは可能である。その場合にはプラグ５を引抜き作動させたときのソケット本体２のスライド移動量が大きくなるので、給水タンク１４との接続ホース８に余裕代を持たせるように（例えば１回巻いて接続する等）すれば良い。
【００４８】
【発明の効果】
請求項１に記載の迅速継手では、クイックジョイント等の市販の迅速継手にアタッチメントを装着した第１継手状態とすれば、ソケットとプラグとの接続及び離脱の双方をワンアクション操作で行えて、両手操作が困難な狭い場所や奥まった場所における配管接続及び離脱が簡単で便利に行えるとともに、アタッチメントを取り外して第２継手状態とすれば、ワンアクション操作でプラグとソケットとの接続が便利に行なえるとともに、外すにはツーアクション操作が必要となる確実な接続状態の維持作用とが得られる従来通りの機能が発揮できるので、使用場所、目的、条件等に応じて使い分けできて、より一層便利に使用できる汎用性に優れるものとして提供することができた。
【００４９】
また、ソケット本体を、第２受止め部の丸孔から挿入して、操作環を第１受止め部の丸孔に嵌め入れた状態し、次いで、第２受止め部の内面側に沿わせるようにして受け板を落とし込み、その切欠きを小径筒部に嵌め入れてから、ソケット本体と受け板とをネジ固定することにより、ソケットのアタッチメントへの装着操作が為されるという便利なものにできた。
【図面の簡単な説明】
【図１】  第１実施形態による迅速継手及びソケットの支持構造を示す側面図
【図２】  給水タンクを引張ってソケットからプラグを引抜く作用図
【図３】  第１実施形態による移動式の相給水タンクと迅速継手とを示す斜視図
【図４】  第１実施形態によるアタッチメントの構造を示す斜視図
【図５】  参考例による迅速継手及びソケットの支持構造を示す側面図
【図６】  参考例によるアタッチメント単品の斜視図
【図７】  ソケットに内臓されたロック機構の原理を示す断面図
【図８】  ホースを引張ってソケットからプラグを引抜く作用図
【図９】  アタッチメントの参考第１別構造を示す斜視図
【図１０】  アタッチメントの参考第２別構造を示す斜視図
【図１１】  アタッチメントの参考第３別構造を示す斜視図
【図１２】  従来の迅速継手及びその使い方を示す図
【符号の説明】
１  ソケット
２  ソケット本体
３  操作環
４  大径筒部
５  プラグ
９  小径筒部
１７  第１受止め部
１８  第２受止め部
１９  取付部
２０  Ｕ字状切欠き
２１  丸孔
２２  固定部
ｒ  ロック機構
Ａ  アタッチメント
【図１】
0003737400.tif 000002
【図２】
0003737400.tif 000003
【図３】
0003737400.tif 000004
【図４】
0003737400.tif 000005
【図５】
0003737400.tif 000006
【図６】
0003737400.tif 000007
【図７】
0003737400.tif 000008
【図８】
0003737400.tif 000009
【図９】
0003737400.tif 000010
【図１０】
0003737400.tif 000011
【図１１】
0003737400.tif 000012
【図１２】
0003737400.tif 000013